(57)【要約】【課題】  従来のテラヘルツ波領域の電磁波の発生装置は大掛かりなものがほとんどでコストや汎用性で問題があった。また天然石や金属やセラミック製の電磁波を放射することを利用した健康用装身具や水質の改善装置や燃費改善器具も開発されているが、周波数が特定されず、共振効果が明確でないという問題があった。【解決手段】  本発明は、３２〜３８テラヘルツの固有振動数を有する原子や分子や分子結合を有する共鳴電磁波被写体に、３２〜３８テラヘルツの周波数の電磁波を、特定の温度条件下で、一定時間密着または近接させることにより、当該共鳴電磁波被写体自体を当該電磁波の発振体とした転写体とその製造方法を提供する。【選択図】図３
2015100684.tif 000002
【特許請求の範囲】
【請求項１】
特定の固有振動数を有する原子や分子や分子結合を有する被写体物質に、当該固有振動数と共振する周波数の電磁波の放射体物質を、特定の温度条件下で、一定時間、当該被写体物質に近接または密着させることで、当該電磁波を照射し共振させることにより、当該被写体物質が当該電磁波の発振源となることを特徴とする共鳴電磁波転写体とその製造方法。
【請求項２】
請求項１に記載の特定の周波数は、３２〜３８テラヘルツであることを特微とする共鳴電磁波転写体とその製造方法。
【請求項３】
請求項１に記載の特定の温度条件は、摂氏２０度から１００度とすることを特徴とする共鳴電磁波転写体とその製造方法。
【請求項４】
請求項１に記載の一定時間照射を、２〜１２時間とすることを特徴とする共鳴電磁波転写体とその製造方法。
【発明の詳細な説明】
【技術分野】
【０００１】  本発明は、３２〜３８テラヘルツの共鳴電磁波を放射する放射体物質に、３２〜３８テラヘルツの固有振動数を有する原子や分子や分子結合を有する被写体物質を近接または密着させることにより、当該被写体物質自体を、３２〜３８テラヘルツの電磁波の発振体とする共鳴電磁波被写体とその製造方法を提供する。
【背景技術】
【０００２】  近年、光波の位相差を応用したり、光素子を使いテラヘルツ電磁波を発生させる装置が開発または提案されている。【０００３】  また、テラヘルツ領域の電磁波を放射する金属や天然石やセラミックを利用した製品が開発または提案されている。また、マイナスイオンを放射するように複数の金属を組み合わせた腕輪や天然石やセラミック製の腕輪やネックレスといった装身具も開発されている。
【特許文献１】  特開２０１３−８０９３９
【特許文献２】  特開２０１２−２０３０１３
【特許文献３】  登録実用新案第３１００７６７
【特許文献４】  登録実用新案第３０１５１８４
【発明の概要】
【発明が解決しようとする課題】
【０００４】  従来の、テラヘルツ波発生装置は、大掛かりなものがほとんどで、コストや汎用性に問題があった。健康改善用の装身具は、遠赤外線領域の電磁波を放射するセラミックや金属や天然石の粉末やシートを、繊維に混ぜ込んだり、挟み込んだりするものがほとんどで、製造方法が複雑となり、製造コストが高くなったり、耐久性に問題があった。【０００５】  また、遠赤外線領域の電磁波を放射する金属やセラミックや天然石を利用した製品も開発されているが、電磁波の周波数によっては効果が得られないという問題や、形状が固定されているため、使用上の汎用性に問題があった。【０００６】  また、遠赤外線領域の電磁波を放射するセラミックや金属や天然石の粉末やシートを、繊維に混ぜ込んだり、挟み込んだりする製品も開発されているが、製造方法が複雑となり、製造コストが高くなったり、耐久性に問題があった。
【課題を解決するための手段】
【０００７】  このような課題を解決するために本発明者は、３２〜３８テラヘルツの共鳴電磁波を、２〜１２時間、２０℃〜１００℃の温度条件下で、３２〜３８テラヘルツの固有振動数を有する原子や分子や分子結合を有する被写体物質に、照射することで、当該被写体物質自体が当該共鳴電磁波の転写体となり、自らが当該共鳴電磁波の発射体となることを見出し、本発明をなすに至った。【０００８】  すなわち、本発明では、３２〜３８テラヘルツの共鳴電磁波を放射する物質と、被写体物質を近接させ、２０℃〜１００℃の温度条件下で、２〜１２時間放置し、当該共鳴電磁波の放射体から発射される電磁波を、当該被写体に転写し、共振作用により、当該被写体自体を当該共鳴電磁波の放射体とする。【０００９】  当該被写体は、３２〜３８テラヘルツの固有振動数の原子や分子や分子結合を有する物質であれば、気体や液体や固体のいずれであっても良く、形状にも規定されることはないため、用途に応じた様々な形や性状の、３２〜３８テラヘルツの共鳴電磁波転写体とすることができる。【００１０】  また、当該共鳴電磁波転写体から放射される共鳴電磁波の周波数を３２〜３８テラヘルツとすることで、様々な物質に含まれる水素結合を、共振作用により励起して分離することができ、外部からエネルギーを与えることなく当該物質の内部エネルギーを高めることができる。
【発明の効果】
【００１１】  本発明によれば、効果が明確で持続性の高い３２〜３８テラヘルツの共鳴電磁波を放射する共鳴電磁波転写体を容易に低コストで提供できる。【００１２】  本発明による共鳴電磁波転写体から放射される３２〜３８テラヘルツの電磁波は、様々な物質に含まれる水素結合の固有振動数と一致し、共振励起し、水素結合を分離する。【００１３】  そして当該水素結合から放出された電子が高速で移動し、他の原子や分子と衝突することにより次々とカスケード的に電子（マイナスイオン）が大量に放出され、外部エネルギーを加えること無しで、還元効果を得るとともに、物質の有する内部エネルギーを高める。【００１４】  また、当該共鳴電磁波転写体を、用途に応じて様々な材質や性状や形状の気体や液体や固体とすることができる。
【発明を実施するための形態】
【００１５】  以下、本発明の実施形態について図面を参照しながら詳細に説明する。
図１は、共鳴電磁波を転写体に転写する装置の概念の縦断面を示す。
図２は、図１のＡ矢視を示す。
図３は、本発明の共鳴電磁波転写体の作用の概念を示す。
【００１６】  図１及び図２に示すように、共鳴電磁波発振体１を、当該電磁波被写体２に密着または近接するようにして配置し、当該電磁波発振体１から放射される３２〜３８テラヘルツの共鳴電磁波３を、共鳴電磁波被写体２に２〜１２時間照射する。
【００１７】  当該共鳴電磁波発振体１の上には２０℃〜１００℃の温度調節が可能な面ヒーター４が設けられていて、３２〜３８テラヘルツの共鳴電磁波３を当該電磁波被写体２に効率良く転写できる。
【００１８】  当該共鳴電磁波３を、規定温度条件下で、規定時間照射された当該共鳴電磁波被写体２は、当該共鳴電磁波被写体２を構成する分子の軌道を回る電子が共振励起され、当該共鳴電磁波被写体２自体が、共鳴電磁波３の発振源となり、様々な共鳴電磁波効果を発揮する転写体１２となる。
【００１９】  当該共鳴電磁波転写体１２を、分子結合に水素結合を有する物質１１に、密着または近接させると、当該共鳴電磁波転写体１２から放射される共鳴電磁波１３で、分子結合に水素結合を有する物質１１の水素結合を共振励起し、水素結合１４を分離し、物質１１を低分子量化し内部エネルギーを高める。
【００２０】  水素結合を有する物質１１の水素結合の分離により放出された電子１５は高速で移動し、次々と他の分子や原子と衝突し、カスケード的に大量に電子が放出され、その電子による還元作用が得られることにより、様々な酸化による劣化作用が防止される。
【実施例】
【００２１】  数多くの実施テストを通して下記の効果が確認されている。
＊水の活性化    ：本発明の転写体を水に接触または近接させることにより、水のＰＨ  値がアルカリ側になり、酸化還元電位が還元側に変化し、水分子クラスターの小さい水  になることが確認された。
＊冷房効率の改善：本発明の転写体のフィルターネットを冷却装置の循環空気の吸気側  に取り付けたところ、ほとんどのケースで冷却効率が改善された。
＊生物の成長促進：本発明の転写体の肥料や飼料を動植物に与えると、ほとんどのケー  スで成長が促進されることが確認された。
＊鮮度保持効果  ：本発明の転写体のシールやシートを生鮮食品に密着または近接させ  ると、ほとんどのケースで、当該生鮮食品の鮮度が、より長く保持されることが確認さ  れた。
＊機能繊維      ：本発明の転写体の衣類を身につけたところ、冬暖かく、夏涼しい機  能繊維となることが確認できた。
＊燃費向上      ：本発明の転写体を自動車エンジンの吸気フィルターや燃料タンクに  取り付けることにより、ほとんどのケースで燃費が改善されることが確認された。
＊血流改善効果  ：本発明の転写体の腕輪を装着して血液検査を行ったところ、ほとん  どのケースでどろどろ状態の血液が改善されることが確認された。
＊疼痛緩和      ：本発明の転写体のシートを肩こりや腰痛の人の患部に装着したとこ  ろ、ほとんどのケースで、疼痛が緩和されることが確認された。
＊運動能力向上  ：本発明の転写体の衣類やサポーターを装着したところ、ほとんどの  ケースで、身体のバランスが良くなり、心肺機能が向上し、運動能力が向上することが  確認された。
【産業上の利用可能な分野】
【００２２】  本発明は、農業や養殖業の一次産業、美容健康産業、食品加工産業、省エネ産業、機能繊維産業、自動車産業等広範囲にわたって応用される。
【図面の簡単な説明】
【００２３】
【図１】は、共鳴電磁波を共鳴電磁波被写体に照射する装置の概念の縦断面を示す。
【図２】は、図２のＡ矢視を示す。
【図３】は、本発明の共鳴電磁波転写体の作用の概念を示す。
【符号の説明】
【００２４】１    共鳴電磁波発振体
２    共鳴電磁波被写体
３    共鳴電磁波
４    面ヒーター
１１  水素結合を有する物質
１２  共鳴電磁波転写体
１３  共鳴電磁波
１４  水素結合
１５  電子
【図１】
2015100684.tif 000003
【図２】
2015100684.tif 000004
【図３】
2015100684.tif 000005